(57)【要約】【課題】ガスメーターの性能や信頼性に悪影響を及ぼす設置姿勢を規制すること。【解決手段】直管型のガスメーターにおいて、表示部１８ａと、ガス遮断弁１６を備え、ガス遮断弁１６の弁体１６ａの封止面を表示部１８ａの表示面と反対方向に配置することにより、ガスメーターの設置姿勢を表示面が目視できるように（表示面が下向きにならないように）設置すると、弁体１６ａが地上面に対し上方向を向かなくなるので、ガス中の埃や塵が弁体１６ａの封止面に残留し難くなるので、ガス遮断時の封止性の低下を防ぐことができる。【選択図】図１
2019178918.tif 000002
【特許請求の範囲】
【請求項１】
同一軸上にガス流入口及びガス流出口を備えるメーター筐体と、
前記ガス流入口から前記ガス流出口にガスが流れるＩ字状のガス流路と、
ガスを計量するガス計量部と、
ガスの遮断と供給を行うガス遮断弁と、
前記メーター筐体の外周面に配置される表示部と、
ガスの計量やガスの遮断と供給や表示を制御するメーター制御器と、
を備え、
前記ガス遮断弁は、弁体を押し当ててガスを封止する構造であり、前記弁体の封止面が前記表示部の表示面と反対方向を向くことを特徴とするガスメーター。
【請求項２】
同一軸上にガス流入口及びガス流出口を備えるメーター筐体と、
前記ガス流入口から前記ガス流出口にガスが流れるＩ字状のガス流路と、
ガスを計量するガス計量部と、
ガスの遮断と供給を行うガス遮断弁と、
前記メーター筐体の外周面に配置される表示部と、
ガスの計量やガスの遮断と供給や表示を制御するメーター制御器と、
を備え、
前記ガス計量部は、計量センサーと計量回路部を備えた電子式のものであり、前記計量センサーと前記計量回路部は、前記ガス流路の軸に対し前記表示部の表示面側に配置されることを特徴とするガスメーター。
【請求項３】
前記計量回路部は、前記メーター制御器と一体に構成されることを特徴とする請求項２に記載のガスメーター。
【発明の詳細な説明】
【技術分野】
【０００１】
本発明は、ガス流入口とガス流出口を同一軸上に設けた直管型のガスメーターに関するものである。
【背景技術】
【０００２】
従来、市場で運用されているガスメーターは、ガスの流入口と流出口とがメーター筐体の上面に設けられており、ガス配管に吊り下げて設置するものである。また近年、ガス流入口とガス流出口を同一軸上に設けた直管型のガスメーターの形態を提供している文献もある（例えば、特許文献１参照）。
【０００３】
図４は、特許文献１に記載された従来のガスメーターを示すものである。
【０００４】
図４に示すように、ボディ本体１にガス流入部２とガス流出部３とを備え、ボディ本体１内部にガス流入部２からガス流出部３へガスが流れるストレート状のガス流路４と、ボディ本体１外面に配置した表示部５から構成されている。
【０００５】
また、ガスメーターの取付け姿勢は、吊り下げ型のものはその形状より一義的に決まるが、直管型のものはガス流路４を縦方向または横方向に設置することができる。またガス流路４を横方向に設置した場合も表示部５を前方向または上方向に設置するなど、いろいろな設置形態の可能性がある。このように設置の自由度を広げられるという点が、直管型のガスメーターの特長の一つである。また、ガス入流口と流出口をストレートに結ぶことで空間効率が向上し、小型化が実現できることも特長の一つである。
【先行技術文献】
【特許文献】
【０００６】
【特許文献１】特開２０１７−１３３９５９号公報
【発明の概要】
【発明が解決しようとする課題】
【０００７】
このように、直管型の構成のガスメーターでは、取付け姿勢方向が一義的に決まらないので、取付け姿勢により性能や信頼性が損なわれない構成とする必要が生じる。
【０００８】
例えば、通過ガス中でガス遮断弁の弁体の封止面が上向きとなるようにメーターが設置された場合、ガス供給管内の埃や塵などが封止面に付着し易く、遮断時の気密性を低下させる恐れがある。
【０００９】
また、他の例として、通過ガス中でガス計量部の計量センサーや計量回路部がガス流路軸に対し下向きとなるようにメーターが設置された場合、ガス供給管内の水分がメーター流路内（ガス雰囲気内）に侵入または結露し、流路内に水分が溜まり、計量部の電気回路が浸水する恐れがある。
【００１０】
上記のように、設置時の不安を取り除く構成を実現することが課題となる。
【００１１】
本発明は、かかる事情を鑑みてなされたもので、メーターの取付け姿勢を考慮し信頼性が確保できる直管型のガスメーターを提供することを目的とする。
【課題を解決するための手段】
【００１２】
上記の課題を解決するために、本発明のガスメーターは、同一軸上にガス流入口及びガス流出口を備えるメーター筐体と、ガス流入口からガス流出口にガスが流れるＩ字状のガス流路と、ガスを計量するガス計量部と、ガスの遮断と供給を行うガス遮断弁と、メーター筐体の外周面に配置される表示部と、ガスの計量やガスの遮断と供給や表示を制御するメーター制御器を備え、ガス遮断弁は弁体を押し当ててガスを封止する構造であり、弁体の封止面が表示部の表示面と反対方向を向くものである。
【００１３】
これによって、弁体のガス封止面が表示部の表示面と反対方向となるので、弁体のガス封止面が上方を向く時は、表示面が下方を向くことになる。通常、表示面を下向きに取付けると表示部を目視できなくなるので、ガスメーターの運用を考えると表示面を下方にして設置することはなく、弁体の封止面が上方を向くことは構造上なくなる。よって、設置時に弁体の封止面に埃などが付着する可能性が低減され、遮断時の気密性が確保される。
【００１４】
また、本発明のガスメーターは、同一軸上にガス流入口及びガス流出口を備えるメーター筐体と、ガス流入口からガス流出口にガスが流れるＩ字状のガス流路と、ガスを計量するガス計量部と、ガスの遮断と供給を行うガス遮断弁と、前記メーター筐体の外周面に配置される表示部と、ガスの計量やガスの遮断と供給や表示を制御するメーター制御器を備え、ガス計量部は、計量センサーと計量回路部を備えた電子式のものであり、ガス計量センサーと計量回路部は、ガス流路の軸に対し表示部の表示面側に配置されるものである。
【００１５】
これによって、ガス計量部の電気回路部がガス流路軸に対して表示部の表示面側に配置されるので、ガス流路内で電気回路部がガス流路軸より下方に位置する時は、表示面が下方を向くことになる。前記同様に表示面を下方にして設置することはなく、電気回路部がガス流路内で下側に配置することは構造上なくなる。よって、設置時にガス計測部の電気回路部が流路に溜まる水分に浸る可能性が低減され、耐浸水性が向上する。
【発明の効果】
【００１６】
本発明のガスメーターは、表示部の表示面が目視可能となるように設置することで、ガスメーターの性能や信頼性に悪影響を及ぼす設置姿勢を規制することができる。
【図面の簡単な説明】
【００１７】
【図１】本発明の実施の形態１におけるガスメーターの構成を示す断面図
【図２】（１）〜（４）本発明の実施の形態１におけるガスメーターの設置姿勢を示す設置図
【図３】本発明の実施の形態２におけるガスメーターの構成を示す断面図
【図４】従来のガスメーターの構成を示す外観図
【発明を実施するための形態】
【００１８】
第１の発明のガスメーターは、同一軸上にガス流入口及びガス流出口を備えるメーター筐体と、ガス流入口からガス流出口にガスが流れるＩ字状のガス流路と、ガスを計量するガス計量部と、ガスの遮断と供給を行うガス遮断弁と、メーター筐体の外周面に配置される表示部と、ガスの計量やガスの遮断と供給や表示を制御するメーター制御器を備え、ガス遮断弁は弁体を押し当ててガスを封止する構造であり、弁体の封止面が表示部の表示面と反対方向を向いていることにより、弁体のガス封止面が上方を向く時は、表示面が下方を向くことになり、表示面を下向きに取付けると目視できなくなるので、通常ガスメーターの表示面を下向きに設置することはなく、弁体の封止面が上方を向くことはなくなるので、弁体の封止面に埃や塵などが付着する可能性が低減され、遮断時の気密性の低下を防ぐことができる。
【００１９】
第２の発明のガスメーターは、同一軸上にガス流入口及びガス流出口を備えるメーター
筐体と、ガス流入口からガス流出口にガスが流れるＩ字状のガス流路と、ガスを計量するガス計量部と、ガスの遮断と供給を行うガス遮断弁と、メーター筐体の外周面に配置される表示部と、ガスの計量やガスの遮断と供給や表示を制御するメーター制御器を備え、ガス計量部は、ガス計量センサーと計量回路部を備えた電子式のものであり、前記計量センサーと前記計量回路部は、ガス流路の軸に対し表示部の表示面側に配置されていることにより、ガス流路内で電気回路部が下方側となる時は、表示面が下方を向くことになり、表示面を下向きに取付けると目視できなくなるので、通常ガスメーターの表示面を下向きに設置することはなく、電気回路部がガス流路内で下側に配置することはなくなるので、ガス計測部の電気回路部が流路に浸入して溜まる水分に浸る可能性が低減され、耐浸水性を低下を防ぐことができる。
【００２０】
第３の発明は、特に、第２の発明の前記計量回路部をメーター制御器と一体に構成することにより、計量回路部を構成する基板部材が無くなり、簡素な構成となり、直管型メーターの特長の一つである小型化の実現に寄与することができる。
【００２１】
以下、本発明の実施の形態について、図面を参照しながら説明する。なお、この実施の形態によって本発明が限定されるものではない。
【００２２】
（実施の形態１）
図１は、本発明の第１の実施の形態におけるガスメーターの構成を示す断面図である。
【００２３】
図１において、メーター筐体本体１３ａは、ガス流入口１１とガス流出口１２とを同一軸上に有している。メーター筐体本体１３ａは、ガス流入口１１からガス流出口１２の間でガスの気密が保たれており、メーター筐体本体１３ａを部分的に覆うメーター筐体外殻１３ｂと共にメーター筐体１３をなしている。
【００２４】
メーター筐体外殻１３ｂ内には、プリント配線基板で構成されるメーター制御器１８が設けてある。メーター制御器１８は、メーターの検針値や動作状態を表示する表示部１８ａ（例えば、液晶パネル）を備え、表示部１８ａはメーター筐体外殻１３ｂの表示窓枠（図示せず）を通して目視できるように配置されている。
【００２５】
メーター筐体本体１３ａ内には、ガス遮断部１７、ガス流路１４ａ、流路の一部を成すガス計量部１５、ガス流路１４ｂが順にガス流入口１１からガス流出口１２に向けて同一軸（ガス流路軸１００）上にＩ字状に配置してある。
【００２６】
ガス遮断部１７には、メーター筐体本体１３ａと気密を保つようにしてガス遮断弁１６が設けてある。ガス遮断弁１６は、ガス遮断部１７が持つフランジ１７ａに弁体１６ａを押し当てガスを封止する構造のものであり、弁体は圧縮性のあるゴム材料が一般的に使用されている。また、ガス遮断弁１６は、弁体１６ａの封止面が表示部１８ａの表示面と反対を向くように、メーター筐体本体１３ａに取付けてある。
【００２７】
ガス計量部１５は、流路の一部となりガスが流れる計量流路部１５ａと電子計量を行う計量電気部１５ｂとで構成されている。また、計量電気部１５ｂは、計量回路部１５ｂ１と計量センサー１５ｂ２とで構成され、計量センサー１５ｂ２は計量回路部１５ｂ１に電気配線（図示せず）で接続されている。
【００２８】
計量センサー１５ｂ２は、対になった超音波センサーであり、図の点線で示す経路を伝搬する超音波を相互に送受信する。即ち、上流側の計量センサー１５ｂ２からで超音波を送信し計量流路部の内壁に反射した超音波を下流側の計量センサー１５ｂ２で受信する（Ａ方向とする）。また、その逆方向での送受信を行う（Ｂ方向とする）。計量センサー１
５ｂ２は、計量流路部１５ａに向け超音波を放射するので、計量流路部１５ａと計量電気部１５ｂとの間には開口１５ｃが設けられている。
【００２９】
また、計量回路部１５ｂ１は超音波センサーを駆動し、ガス流速中での上記Ａ方向（ガスの流れに対して上流から）と上記Ｂ方向（ガスの流れに対して下流から）との超音波の伝搬速度の差より、ガスの流速を計算する電子回路ユニットであり、プリント配線基板上に形成されている。
【００３０】
このように、ガス計量部１５は計量流路部１５ａ、計量センサー１５ｂ２、計量回路部１５ｂ１、を一体にしたユニットであり、超音波計測についての技術的手段を集約したものである。また、ガス計量部１５は、計量電気部１５ｂがガス流路軸１００に対して表示部１８ａの表示面側になるように配置してある。
【００３１】
メーター制御器１８は、計量回路部１５ｂ１やガス遮断弁１６と電気配線（図示せず）で接続され、ガスの流速信号からガス流量を計算し、ガス流量の積算値を表示部１８ａに表示する、またガス流量より異常なガスの流れを検知した場合はガス遮断弁１６によりガスを遮断するなど、ガスメーター全体の制御行うものである。
【００３２】
図２は、本発明の実施の形態１におけるガスメーターの設置姿勢を示す設置図である。なお、図中の○の中に×の記号は目視方向及び封止方向が図の手前から奥の方向であることを示している。
【００３３】
図１に示した直管型のガスメーターは、その形状より設置方向の自由度が増す。
【００３４】
図２（１）は、地面に対し垂直方向に設置（以下、縦設置と言う）した時のメーター姿勢を示すものである。また、図示はないが、縦設置での他のメーター姿勢として、ガス供給側が下から上がってくる場合、図２（１）に示した姿勢の上下が逆の姿勢となる場合がある。
【００３５】
また、図２（２）から（４）は、地面に対し平行方向に設置（以下、横設置と言う）した時のメーター姿勢を示すものである。横設置では、ガス流入口１１とガス流出口１２との位置関係により、ガス流路軸１００を中心に３６０°自由な方向に取付け可能となる。図２（２）は表示部１８ａの表示面が横を向いた姿勢、図２（３）は表示面が下を向いた姿勢、図２（４）は表示面が上を向いた姿勢を示すものである。また、図示はないが、横設置での他のメーター姿勢として、ガス流路軸１００においてガス供給側が逆となり、図２（２）から（４）に示した姿勢の左右が逆の姿勢となる場合がある。
【００３６】
図２（１）から（４）それぞれに、表示部１８ａの表示面すなわち視野方向（矢印Ａ）に対し、弁体１６ａの封止面の方向すなわち封止方向（矢印Ｂ）および計量電気部１５ｂの位置の関係を示す。
【００３７】
以上のように構成されたガスメーターについて、以下その作用を説明する。
【００３８】
ガス供給管を通って供給されるガスの中には埃や塵などの異物が混入し、ガスメーターの流路内を通過していく恐れがある。
【００３９】
弁体１６ａの封止面が上方向を向くと埃や塵を受けやすく、埃や塵が付着し残留すると、封止部に隙間が生じガス遮断時の気密性が低下する可能性がある。
【００４０】
図２（１）（２）のように設置した時、封止方向（矢印Ｂ）は地面と水平方向を向き、
弁体１６ａの封止面は横方向を向く。また、図２（３）のように設置した時、封止方向（矢印Ｂ）は地面方向を向き、弁体１６ａの封止面は下方向を向く。また、図２（４）のように設置した時、封止方向（矢印Ｂ）は地面と反対方向を向き、弁体１６ａの封止面は上方向を向く。
【００４１】
通常ガスメーターは、広域に供給される都市ガスメーターであれば地上から１ｍ程度の高さに、ガスボンベで個別に供給されるＬＰガスメーターであればほぼガスボンベの高さである１ｍから１．５ｍ程度の高さに設置される。よって、表示部１８ａの表示面は、図２（１）から（３）のように設置した時は目視可能となり、設置姿勢として許容されるが、図２（４）のように設置した時は目視が困難となり、検針作業への負担を鑑みると、設置姿勢として適切でないことは、ガスメーターを設置し運用する上において常識の範疇である。
【００４２】
本実施の形態においては、弁体１６ａの封止面をガス流路の軸に対し表示部１８ａの表示面と反対方向を向くように配置することにより、弁体１６ａの封止面が地面に対して上方向を向くような設置姿勢となることが避けられ、ガス遮断時の気密性の低下を防ぐことができる。
【００４３】
また、ガス供給管を通って供給されるガスの中には水分や湿気などが混入し、ガスメーターの流路内を通過し、気密性が保たれたメーター筐体本体１３ａ内に水分や湿気の結露水が残留する恐れがある。
【００４４】
メーター筐体本体１３ａ内の計量電気部１５ｂがガス流路軸１００に沿ってガス流路の下方側（地面側）に位置すると、計量電気部に水分が侵入し溜まり、計量回路部１５ｂ１や計量センサー１５ｂ２が浸水し、動作不良に陥る可能性がある。
【００４５】
図２（１）のように設置した時、計量電気部１５ｂは地面に垂直方向のガス流路軸１００に沿って位置することになる。また、図２（２）のように設置した時、計量電気部１５ｂは地面に水平方向のガス流路軸１００に沿って、ガス流路の横側に位置することになる。また、図２（３）のように設置した時、計量電気部１５ｂは地面に水平方向のガス流路軸に沿って、ガス流路の上側に位置することになる。また、図２（４）のように設置した時、地面に水平方向のガス流路軸に沿って、ガス流路の下側に位置することになる。
【００４６】
繰り返すが、図２（４）のように設置した時は、表示の目視確認を鑑みると、設置姿勢として適切でないことは、ガスメーターを設置し運用する上において常識の範疇である。
【００４７】
本実施の形態においては、計量回路部１５ｂ１と計量センサー１５ｂ２とを、ガス流路軸１００に対し表示部１８ａの表示面側に配置することにより、計量回路部１５ｂ１と計量センサー１５ｂ２が、ガス流路に対して下方向に位置するような設置姿勢となることが避けられ、ガス中の水分や湿気による動作不良の発生の可能性を低減することができる。
【００４８】
（実施の形態２）
図３は、本発明の第２の実施の形態のガスメーターの構成を示す断面図である。
【００４９】
実施の形態１において図１にて示したガスメーターとの相違点は、図１に記載の計量回路部１５ｂ１がメーター制御器１９に形成されている点であり、計量センサー１５ｂ２は計量回路の機能を有するメーター制御器１９に電気配線（図示せず）で接続されている。他は図１に示す構成と同じため説明を省略する。
【００５０】
以上のように構成されたガスメーターについて、以下その作用を説明する。
【００５１】
メーター制御器と計量回路部を一つのプリント基板に形成することで、計量回路部が、水分が侵入する可能性があるメーター筐体本体１３ａ内から取り除かれる。また、ガスメーターの構成部材が削減される。
【００５２】
本実施の形態においては、計量回路部をメーター制御器１９のプリント配線基板上に形成することで、計量回路部をガスが運ぶ水分や湿気のある環境から遠ざけ、動作不良の発生するリスクを軽減することができる。
【００５３】
また、構成部材が減るので、メーター筐体の小型化に寄与することができる。
【００５４】
また、一つのプリント基板に機能を集約するので、材料効率と生産効率が向上し、製造原価を低減することができる。
【産業上の利用可能性】
【００５５】
以上のように、本発明にかかるガスメーターは、表示部の表示面を目視できる設置姿勢とすることで、メーターの性能や信頼性に悪影響を及ぼす設置姿勢を規制するが可能となるので、工場設備に設置する気体流量計等の用途にも適用できる。
【符号の説明】
【００５６】
１１  ガス流入口
１２  ガス流出口
１３  メーター筐体
１３ａ  メーター筐体本体
１３ｂ  メーター筐体外殻
１４ａ、１４ｂ  ガス流路
１５  ガス計量部
１５ａ  計量流路部（ガス流路）
１５ｂ  計量電気部
１５ｂ１  計量回路部
１５ｂ２  計量センサー
１６  ガス遮断弁
１６ａ  弁体
１７  ガス遮断部
１７ａ  フランジ
１８  メーター制御器
１８ａ  表示部
１９  メーター制御器
１００  ガス流路軸
【図１】
2019178918.tif 000003
【図２】
2019178918.tif 000004
【図３】
2019178918.tif 000005
【図４】
2019178918.tif 000006